(57)【特許請求の範囲】
【請求項１】
歯科用補綴物を支持するための歯科用インプラントであって、このインプラントが：
外部表面、遠位端、及び近位部分を含む本体；
本体の外部表面の少なくともねじ山部分に設けられた少なくとも一つのねじ山であって、近位フランクと遠位フランクを含み、さらに近位フランクと遠位フランクとの間に延びる面を含むねじ山；及び
歯科用インプラントの近位部分のカラーであって、第一ピーク、第一ピークに略対向した第二ピーク、第一ピークと第二ピークの間の第一谷、及び第一ピークと第二ピークの間のかつ第一谷に略対向した第二谷を規定する湾曲表面を含むカラー；
を含み、
第一谷の最遠位点が第二谷の最遠位点より近位にあること、及び第一ピーク及び第二ピークを通過する軸に沿った側から見たときに、第一谷に隣接する第一ピークと第一谷に隣接する第二ピークの間で、カラーの湾曲表面が凸状のみであり、第二谷に隣接する第一ピークと第二谷に隣接する第二ピークの間で、カラーの湾曲表面が凹状形状を有することを特徴とする歯科用インプラント。
【請求項２】
本体の外部表面上に形成されかつ遠位フランクと近位フランクの間に設けられた螺旋溝をさらに含むことを特徴とする請求項１に記載の歯科用インプラント。
【請求項３】
螺旋パターンを持つ第一溝を含み、この第一溝がねじ山の遠位フランクの少なくとも一部分の上に形成されていることを特徴とする請求項１に記載の歯科用インプラント。
【請求項４】
本体の近位部分に少なくとも部分的に設けられた空洞をさらに含み、この空洞が、歯科用インプラントの近位端に向けて開放されかつアバットメントを取付けるように構成されていることを特徴とする請求項１に記載の歯科用インプラント。
【請求項５】
空洞が、インプラントの上部表面から延びる実質的に円錐形の部分を形成するように内向きに先細りとなる少なくとも一つの表面を含むことを特徴とする請求項４に記載の歯科用インプラント。
【請求項６】
実質的に円錐形の部分が、インプラントの縦軸に対して約１０度〜約２０度の円錐半角を規定することを特徴とする請求項５に記載の歯科用インプラント。
【請求項７】
実質的に円錐形の部分が、インプラントの縦軸に対して約１２度の円錐半角を規定することを特徴とする請求項５に記載の歯科用インプラント。
【請求項８】
実質的に円錐形の部分が、縦軸に沿った方向に上部表面から測定して少なくとも約１ｍｍに等しいかまたはそれより大きい長さを持つことを特徴とする請求項５に記載の歯科用インプラント。
【請求項９】
実質的に円錐形の部分の下に配置された少なくとも一つの平坦側面を含むインターロック凹所をさらに含むことを特徴とする請求項５に記載の歯科用インプラント。
【請求項１０】
円錐形の部分の長さとインターロック部分の長さの比が約１：１であることを特徴とする請求項９に記載の歯科用インプラント。
【請求項１１】
実質的に円錐形の部分に対して遠位に配置された少なくとも一つの回転防止機能を含むインターロック凹所、及びインターロック凹所の下に配置されたねじ山を含むねじ山部分をさらに含むことを特徴とする請求項５に記載の歯科用インプラント。
【請求項１２】
カラー上の複数の実質的に水平に延びる溝をさらに含むことを特徴とする請求項１に記載の歯科用インプラント。
【請求項１３】
歯を置換するためのシステムであって、このシステムが：
外部表面、遠位端、及び近位部分を含む本体を持つ歯科用インプラントであって、本体の外部表面の少なくともねじ山部分に設けられた少なくとも一つのねじ山であって、近位フランクと遠位フランクを含み、さらに近位フランクと遠位フランクとの間に延びる面を含むねじ山；及び歯科用インプラントの近位部分のカラーであって、第一ピーク、第一ピークに略対向した第二ピーク、第一ピークと第二ピークの間の第一谷、及び第一ピークと第二ピークの間のかつ第一谷に略対向した第二谷を規定する湾曲表面を含むカラー；を含み、第一谷が第二谷の最遠位点より近位にある最遠位点を持ち、第一ピーク及び第二ピークを通過する軸に沿った側から見たときに、第一谷に隣接する第一ピークと第一谷に隣接する第二ピークの間で、カラーの湾曲表面が凸状のみであり、第二谷に隣接する第一ピークと第二谷に隣接する第二ピークの間で、カラーの湾曲表面が凹状形状を有する、歯科用インプラント；及び
歯科用インプラントに結合されるように構成されたアバットメントであって、このアバットメントは長い本体を持ち、この長い本体が近位部分、遠位部分、遠位端、遠位端のインターロック部分、及び近位部分と遠位部分の間の移行表面を含み；移行表面が第一移行ピーク、第一移行ピークに略対向した第二移行ピーク、第一移行ピークと第二移行ピークの間の第一移行谷、及び第一移行ピークと第二移行ピークの間のかつ第一移行谷に略対向した第二移行谷を規定し；第一移行谷が第二移行谷の最遠位点より近位にある最遠位点を持つ、アバットメント
を含むことを特徴とするシステム。
【発明の詳細な説明】
【技術分野】
【０００１】
本発明は一般的に、歯科修復に関し、より詳細には歯科用インプラントに関する。
【背景技術】
【０００２】
インプラント歯科学は、人工要素を使用する患者の口内の一つ以上の歯の修復を含む。かかる人工要素は典型的には、歯科用インプラント及び補綴歯及び／または歯科用インプラントに固定されるアバットメントを含む。一般的に、歯を修復するための方法は三段階で実行される。
【０００３】
歯科用インプラントは典型的には純チタンまたはチタン合金から作られる。歯科用インプラントは典型的には本体部分及びカラーを含む。本体部分は、歯槽骨中に延びかつそれとオッセオインテグレートするように構成されている。カラーの上部表面は典型的には顎骨の稜と同一平面に置かれる。アバットメント（例えば最終アバットメント）は典型的には、上部表面上に置かれ、歯槽骨の上にある軟組織を通って延びる。最近、幾つかの歯科用インプラントは、顎骨の稜の上にかつ軟組織を通って延びるカラーを持つ。
【０００４】
種々の先細りの及び種々のねじ山輪郭を持つインプラントが従来から知られている。例えば、米国特許第５４２７５２７号は円錐形インプラント設計を記載し、それはインプラントの冠状面、すなわちその最も幅広の端部に骨圧縮を誘発するために円筒状骨切り部位中に置かれる。他のねじ山輪郭及びパターンが従来から知られている。最も一般的な設計は米国特許第５８９７３１９号に示されたような対称的なＶ形状外観を含む。可変ねじ山輪郭は米国特許第５４３５７２３号及び第５５２７１８３号に開示され、それは咬合負荷下の応力伝達に対し数学的に最適化されている。米国特許第３７９７１１３号及び第３８４９８８７号は、インプラントの近位端に面する平坦架を持つ雄ねじ状特徴を持つ歯科用インプラントを記載する。
【０００５】
かかる従来技術の歯科用インプラントは成功したけれども、歯槽骨とオッセオインテグレートする歯科用インプラントの能力を改良し、かつ歯槽骨内の歯科用インプラントの安定性を改良するための継続的な希望がある。例えば、米国特許第６１７４１６７号は、波形形状骨付着表面及び／または波形形状上部表面を持つインプラントを開示する。かかるインプラントは、インプラントが骨組織から出て軟組織を横切る領域の硬組織及び軟組織をより良く維持するように構成されている。より詳細には、かかるインプラントは、硬組織及び軟組織付着のために意図された領域が自然に発生する骨形態に近似する凸状及び／または凹状パターンを含む波形形状外観を示すように設計される。改良を示すけれども、‘１６７特許のインプラントをさらに改良したいという希望がある。特に、ある臨床的設定では、インプラントの波形形状表面を患者の硬組織及び軟組織と整合させることは困難であるかもしれない。
【発明の概要】
【０００６】
ここに開示された実施態様は、本体を含む歯科用補綴物を支持するための歯科用インプラントである。この本体は外部表面、遠位端、及び近位部分を含むことができる。歯科用インプラントはまた、本体の外部表面の少なくとも一部分に設けられた少なくとも一つのねじ山を含むことができる。ねじ山は近位フランク及び遠位フランクを含むことができる。ねじ山はまた、近位フランクと遠位フランクの間に延びる面を含むことができる。歯科用インプラントはまた、面上に形成された第一螺旋溝及び本体上に形成された第二螺旋溝を含むことができる。
【０００７】
別の実施態様は、本体を含む歯科用補綴物を支持するための歯科用インプラントである。この本体は外部表面、遠位本体部分、及び近位本体部分を含むことができる。歯科用インプラントはまた、少なくとも一つのねじ山を含むことができる。ねじ山は遠位本体部分の上に延びる遠位ねじ山部分及び近位本体部分の上に延びる近位ねじ山部分を含むことができる。ねじ山は近位フランク及び遠位フランクを含むことができる。ねじ山はさらに、近位フランクと遠位フランクの間に延びる面を含むことができ、そこで面は遠位ねじ山部分から近位ねじ山部分まで厚さを増大する。歯科用インプラントはまた、近位ねじ山部分の少なくとも一部分の面の上に設けられた溝を含むことができる。
【０００８】
本発明のさらなる実施態様は従属請求項により規定される。本発明のこれらの及び他の実施態様は、添付図面を参照した好適実施態様の以下の詳細な説明から当業者には容易に明らかとなるであろう。本発明は開示されたいかなる特定の好適実施態様にも限定されない。
【図面の簡単な説明】
【０００９】
ここに開示された本発明の上述の及び他の特徴は好適実施態様の図面を参照して以下に説明される。図示された実施態様は説明することを意図しており、本発明を限定することを意図しない。図面は以下の図を含む。
【００１０】
【図１Ａ】図１Ａは、本発明の一実施態様による歯科用インプラントの正面図である。
【００１１】
【図１Ｂ】図１Ｂは、図１Ａの歯科用インプラントの側面図である。
【００１２】
【図１Ｃ】図１Ｃは、図１Ａの歯科用インプラントの線１Ｃ−１Ｃに沿って取った断面側面図である。
【００１３】
【図１Ｄ】図１Ｄは、ねじ山輪郭とインプラント本体輪郭の両者を示す図１Ａの歯科用インプラントの概略図である。
【００１４】
【図２Ａ】図２Ａは、図１Ａのインプラントとかみ合うように構成されたアバットメントの一実施態様の正面図である。
【００１５】
【図２Ｂ】図２Ｂは、図２Ａのアバットメントの側面図である。
【００１６】
【図２Ｃ】図２Ｃは、図２Ａのアバットメントの底面図である。
【００１７】
【図２Ｄ】図２Ｄは、図２Ａのアバットメントの断面正面図である。
【００１８】
【図２Ｅ】図２Ｅは、線２Ｅ−２Ｅに沿って取った図２Ｃのインプラントの底部の断面図である。
【００１９】
【図２Ｆ】図２Ｆは、カップリング部材の断面図である。
【００２０】
【図３Ａ】図３Ａは、図１Ａのインプラントとかみ合った図２Ａのアバットメントの正面図である。
【００２１】
【図３Ｂ】図３Ｂは、図３Ａのアバットメントとインプラントの側面図である。
【００２２】
【図４Ａ】図４Ａは、本発明の一実施態様による円錐形歯科用インプラントの正面図である。
【００２３】
【図４Ｂ】図４Ｂは、図４Ａの円錐形歯科用インプラントの側面図である。
【００２４】
【図５Ａ】図５Ａは、図４Ａのインプラントとかみ合うように構成されたアバットメントの一実施態様の正面図である。
【００２５】
【図５Ｂ】図５Ｂは、図５Ａのアバットメントの側面図である。
【発明を実施するための形態】
【００２６】
図１Ａ−１Ｄは歯科用インプラント２０の一実施態様を示す。この実施態様では、インプラント２０は、ねじ山部分３４及びカラー３６を含むインプラント本体３２を含む。インプラント２０はチタンから作られることができるが、種々のタイプのセラミックスのような他の材料も使用されることができる。ねじ山部分３４は、ねじ山部分３４の谷底表面４０上に設けられたねじ山３８を含むことができる。以下に説明されるように、図示された実施態様は単一リードを持つ単一ねじ山３８を含み、それはインプラントの周りに螺旋状に延びるが、変更された実施態様はより多いねじ山（例えば二条または三条ねじ山）を含むことができる。加えて、以下に説明されるように、谷底表面４０及び／またはねじ山３８の面または先端により形成された外部表面は遠位（頂点）方向及びインプラント２０の縦軸に対して内向きに先細りであることができる。しかし、他の実施態様では、谷底表面４０及び／またはねじ山３８の面または先端により形成された外部表面は実質的に円筒状またはその他の形状であることができる。歯科用インプラント２０は近位端２２、近位端２２に略隣接した近位部分２６、遠位端２４、及び遠位端２４に略隣接した遠位部分２８、及び近位部分２６と遠位部分２８の間の中央部分２７を含むことができる。
【００２７】
図示された実施態様では、インプラント本体３２は骨付着表面４１を含み、それはオッセオインテグレーションを促進するように構成されている。一実施態様では、骨付着表面４１は、インプラント本体３２の表面積を増やすことによりオッセオインテグレーションを促進するように構成されている。これに関して、骨付着表面４１は、例えば酸腐蝕、グリットブラスト、及び／または機械加工によるような幾つかの異なる態様でインプラント本体３２を粗面化することにより形成されることができる。これに代えて、骨付着表面４１は、オッセオインテグレーションを促進するために下方表面をある物質で被覆することにより形成されることができる。ある実施態様では、これはインプラント本体３２の表面積を減らしまたは増やすことをもたらすかもしれない。リン酸三カルシウム（ＴＣＰ）及びヒドロキシアパタイト（ＨＡ）のようなリン酸カルシウムセラミックは、外部表面４０の化学的性質を変えることによりオッセオインテグレーションを強化することができる物質の例である。他の実施態様では、外部表面４０は、オッセオインテグレーションを促進するように構成される、例えばねじ山、マイクロねじ山、凹み、及び／または溝のような巨視的な構造を含むことができ、単独でまたは粗面化及び／または上述の被覆と組合せて使用されることができる。一実施態様では、外部表面４０は、低マイクロメートル範囲の開放細孔を持つ高度に結晶性のかつリン酸塩濃縮酸化チタンマイクロ構造表面のようなマイクロ構造表面を含む。かかる表面の例は、Ｎｏｂｅｌ  Ｂｉｏｃａｒｅ  ＡＢにより商標ＴｉＵｎｉｔｅ（商標）下に販売されている。別の実施態様では、マイクロ構造表面を提供するために、インプラント本体３２はジルコニウムセラミックまたは他のセラミックの材料から形成されることができかつ多孔性ジルコニウムで被覆されることができる。別の実施態様では、マイクロ構造表面は、オッセオインテグレーションを促進するように構成された物質（例えばＢＭＰ）で被覆されることができる。
【００２８】
続けて図１Ａを参照すると、カラー３６は、ねじ山部分３４の上に位置することができ、図示された実施態様において、ねじ山部分３４と一体的に形成されるかまたはそれに永久的に固定されることができる。カラー３６は少なくとも部分的に側壁４４により規定されることができる。図示された実施態様では、側壁４４は、カラー３６の側壁４４の周りに円周状に配置された複数の円形及び／または半円形溝４６を含む。円形及び／または半円形溝４６は、骨組織のための追加の成長表面を提供することができる。かくして一実施態様では、カラー３６は患者の骨内に位置するように構成される。一実施態様では、円形及び／または半円形溝４６は約１５０ミクロンの幅と約５０ミクロンの深さを持つ。溝４６は、複数の溝４６がカラー３６の実質的な部分を占めるような寸法であることができる。図１Ａの図示された実施態様では、複数の溝４６はカラー３６の実質的な部分（例えば全面積の５０％より大きい）を占めるものとして示されている。変更された実施態様では、カラー３６はより多いもしくはより少ない溝を備えるか、または溝を備えないことができ及び／または異なる寸法と形状を持つ溝を備えることができる。他の実施態様では、カラー３６上に円周突起またはマイクロねじ山が設けられることができる。一般的に、カラー３６上のかかる構造は有利には、より硬い皮質骨に装着されるように構成されており、この皮質骨を通してインプラント２０は挿入されるが、皮質骨の下に位置する海綿状格子状骨と係合するように構成されることができるインプラント２０のねじ山３８と比べたときにより少ない範囲まで挿入される。他の実施態様では、カラー３６は、例えば内向きに先細りとなったまたは外向きに先細りとなった側壁４４を持つ非円筒形状であることができる。
【００２９】
ここでの記載では、「内向きに」「先細り」になる種々の構造が言及されるだろう。特記しない限り、「内向きに先細り」は、言及された構造がインプラント２０の遠位端２４に向けて動くときに言及した構造の表面が歯科用インプラント２０のほぼ縦方向中心の近くに位置することを意味する。従って、「外向きに先細り」は、言及された構造がインプラント２０の遠位端２４に動くときに言及した構造の表面がインプラント２０のほぼ縦方向中心からさらに遠くに位置することを意味する。
【００３０】
図１Ａ−１Ｄに示された実施態様では、ねじ山３８は、面５８により連結された遠位フランク５４と近位フランク５６を含む。ねじ山の基部は谷底表面４０を含む。上述のように、図示された歯科用インプラント２０はねじ山３８を含み、それは遠位端２４で始まり、かつ遠位部分２８に沿って近位部分２６に向けて前進する。図示された実施態様は単一のねじ山３８を示すが、二つまたは三つのような他の好適な数のねじ山もまた使用されることができることが認識されるであろう。
【００３１】
図１Ｂに示されるように、インプラント２０のある実施態様では、ねじ山３８の面５８の幅は中央部分２７のねじ山３８の面５８に対して近位部分２６及び遠位部分２８内でより大きい。言い換えれば、ねじ山３８の面５８の幅はインプラント２０の中央部分２７内でより狭い。ある実施態様では、中央部分２７のねじ山３８の面５８の幅は約０．０２〜約０．３ｍｍ、好ましくは約０．０８ｍｍ〜約０．１２ｍｍであることができる。加えて、ある実施態様では、ねじ山３８の深さは中央部分２７でより大きく、ねじ山３８の深さは近位部分２６及び遠位部分２８でより狭い。ある実施態様では、中央部分２７のねじ山３８の深さは約０．１ｍｍ〜約０．５ｍｍ、または約０．２ｍｍ〜約０．４ｍｍ、または約０．３ｍｍである。ある実施態様では、ねじ山３８のピッチは約０．４ｍｍ〜約１．０ｍｍ、または約０．６ｍｍ〜約０．８ｍｍ、または約０．７ｍｍである。ある実施態様では、近位フランク５６はインプラント２０の縦軸から実質的に垂直に延びる。ある実施態様では、近位フランク５６はインプラント２０の縦軸から約４５度〜約９０度、または約６０度〜約９０度、または約７５度〜約９０度の角度で延びる。ある実施態様では、遠位フランク５４は近位フランク５６に対して約１５度〜約４５度、または約２５度〜約３５、または約３０度の角度で配向される。
【００３２】
図１Ｄに示されるように、インプラント本体３２は縦軸Ｌに対して複数の異なる角度を規定することができる：第一角度αは上述のようにカラー３６の側壁４４により規定されることができ；第二角度βは本体３２の遠位部分２８のねじ山３８の面５８により規定されることができ；第三角度γは本体３２の近位部分２６のねじ山３８の面５８により規定されることができ；第四角度δは本体３２の遠位部分２８の谷底表面４０により規定されることができ；第五角度εは本体３２の近位部分２６の谷底表面４０により規定されることができ；第六角度ζはインプラント本体３２の中央部分２７のねじ山３８の面５８により規定されることができ；第七角度ηは近位部分２６と遠位部分２８の間のインプラント本体３２の中央部分２７の谷底表面４０により規定されることができ；第八角度θは近位部分２６と中央部分２７の間の移行領域の谷底表面４０により規定されることができ；そして第九角度κは実質的に垂直な遠位端２４と遠位先端部分２５により規定されることができる。
【００３３】
図示された実施態様は前述の角度関係を利用するけれども、他の好適な関係も使用されることができる。かかる好適な関係は、面５８が円錐形でなくかつ略円筒形を規定するねじ山３８及び／またはねじ山の面５８がインプラント本体３２のねじ山部分３４の円錐角に密接にマッチする円錐角を規定するねじ山３８を含むことができる。さらに他の実施態様では、ねじ山３８の面５８により規定される角度及び／または谷底表面４０により規定される角度は、それらが実質的に円筒形であるようにインプラント２０の縦軸に略平行であることができる。
【００３４】
図１Ｃに最良に見ることができるように、歯科用インプラント２０はまた、歯科用インプラント２０の近位端２２で開口している空洞または内部連結界面６６を含むことができる。図示された実施態様では、空洞６６は円錐形室６８、インターロック凹所７４及びねじ付き室７０を含む。円錐形室６８及びインターロック凹所７４は、アバットメントを受けるように構成されることができ、ねじ付き室７０は結合ねじ（図示せず）を受けるように構成されることができる。
【００３５】
ねじ付き室７０は、一般的に円錐形室６８の下に設けられることができる。上述したように、ねじ付き室７０は、アバットメントをインプラント２０に取付けるように構成された結合ねじを受けるように構成されることができる。
【００３６】
図１Ａ−１Ｄに示された特別な実施態様は円錐形室６８及び一般的に六角形形状のインターロック凹所７４を持って示されているが、他の好適な形状及び様式の凹所（例えば正方形、八角形、丸くない形状、及び他の形状）が使用されることができる。さらに、歯科用インプラント２０のある実施態様は空洞６６を全て一緒に省略することができ、外部結合装置（例えば外部六角形）及び／または一体的に形成されたアバットメントを使用することができる。図示された実施態様に関して、空洞６６の追加の詳細及び変更された実施態様及び他の特徴は、「歯科用インプラント」と題する２００７年４月２３日に出願された米国出願１１／７３９０３４号及び「歯科用インプラント及び歯科用要素連結」と題する２００７年４月２３日に出願された米国出願１１／７３９０２４号の本出願人の同時係属出願中に見出されることができ、その全体が参考としてここに組込まれる。
【００３７】
図示された空洞６６は有利には、インプラント２０が多くのタイプの歯科用要素とかみ合うことができるように強化された連結界面を提供しかつ柔軟性を提供するように構成されている。特に、上述のように、円錐形室６８は、空洞６６のための幅広の初期開口を与えるインプラント２０の縦軸Ｌに対して内向きに先細りとなる側壁を含む。図１Ｃを参照すると、円錐形室６８の特別な幾何学的形状は縦軸Ｌに対して円錐半角λを規定する。一実施態様では、円錐半角は約５度〜約２０度である。すなわち、円錐形室６８の内壁８０と縦方向中心線Ｌとの間の角度は好ましくは約５度〜約２０度である。一実施態様では、この円錐半角は約１２度である。
【００３８】
一実施態様では、円錐形部分６８の長さ（ｄ１）とインターロック凹所７４の長さ（ｄ２）の間の比は約１：１である。一好適実施態様では、円錐形部分６８の深さ（ｄ１）は約２ｍｍであり、インターロック凹所７４の深さ（ｄ２）は約２ｍｍである。図１Ｃに示すように、円錐形部分６８の長さ（ｄ１）はインプラント２０の上部表面２１から円錐形部分６８の先細り表面８０が終わるソケット６６の部分までの垂直方向に測定した距離である。インターロック凹所７４の長さ（ｄ２）は円錐形部分６８の端部からインターロック凹所７４の端部までの垂直方向に測定される。円錐形部分６８の深さ及び長さとインターロック凹所７４の深さ及び長さとの比は有利には、効果的な封止を提供するのに十分に長い先細り連結の利益を、インプラントが患者に埋設されるときに十分な駆動トルクがインプラント２０に伝達されることができるような十分に長いインターロック凹所７４と組合せる。
【００３９】
図１Ａと１Ｂに示されるように、カラー３６は上部表面２１を含む。図示された実施態様では、上部表面２１の上縁８２は、患者の骨組織形態の自然に発生する輪郭の形状に追従するまたは少なくとも密接に近似する少なくとも一つ、好ましくは二つのピーク８４、頬側谷８６及び舌側谷８７を持つ曲線状または波形形状を持つ。頬側谷８６は頬に面するように構成され、舌側谷８７は舌に面するように構成されている。他の実施態様では、ピーク８４及び谷８６と８７は患者の骨組織形態の自然に発生する輪郭の形状に追従するまたは少なくとも密接に近似する直線及び／または曲線の種々の組合せにより近似されることができる。図示された実施態様では、骨付着表面４１は実質的に上縁８２まで延びる。この態様では、骨付着表面４１は、上縁８２と対応し、従って同じ曲線状または波形形状を持つ縁または境界を持つ。別の実施態様では、骨付着表面４１はインプラント１０の上部表面２１上に延びることができる。一配置では、骨付着表面４１は上部表面２１の全体またはその一部のみを全体的にまたは実質的に覆うことができる。さらに別の実施態様では、上部表面２１またはその一部は、軟組織成長を促進するために覆われるかまたは処理されることができる。
【００４０】
図示された配置では、上縁８２の頬側谷８６はカラー／インプラント界面２３に位置するか、またはそのわずかに上に位置する。ピーク８４は頬側谷８６の略１〜５ミリメートル上に位置することができる。一実施態様では、ピーク８４は頬側谷８６の略２ミリメートル上に位置する。ピーク８４は舌側谷８７の略０．２５〜２ミリメートル上に位置することができる。一実施態様では、ピーク８４は舌側谷８７の略１ミリメートルまたは約０．７〜０．９ミリメートル上に位置する。
【００４１】
図１Ａと１Ｂに示されるように、頬側谷８６は舌側谷８７より遠位にある。この出願の文脈では、より遠位にあるとは、頬側谷８６の最遠位点が舌側谷８７の最遠位点より低いことを意味する。他の実施態様では、舌側谷８７は頬側谷８６より遠位にあることができる。加えて、図１Ｂに示されるように、ピーク８４と舌側谷８７との間の上縁８２の湾曲は凸形状であり、一方ピーク８４と頬側谷８６との間の上縁８２の湾曲は凹形状である。図１Ｂに示されるように、ある実施態様では、ピーク８４は頬側谷８６と舌側谷８７との間の略中間に設けられる。他の実施態様では、ピーク８４は頬側谷８６または舌側谷８７のいずれかにより接近して設けられることができる。この上縁８２及びピーク８４及び谷８６と８７の形状は、非対称骨組織形態にマッチするために極めて好適な非対称歯科用インプラント２０をもたらし、美的に満足な歯科用インプラント２０をもたらす。変更された実施態様では、ピーク８４及び谷８６と８７は異なる高さを持つことができることは認識されるべきである。すなわち、二つのピーク８４は互いに比べたとき異なる高さを持つことができる。同様な態様では、二つの谷８６と８７は、例えば上述したように互いに比べたとき異なる高さを持つことができる。この態様では、インプラント１０は、骨隆起が頬側が典型的には低い非対称形状を持つ状態で置かれることができる。
【００４２】
図２Ａと２Ｂは、上述のインプラント２０とかみ合うように構成されたアバットメント１００の一実施態様を示す。以下に説明されるように、アバットメント１００は、例えばインプラント２０に取付けられるように構成されることができるヒーリングキャップ、印象用コーピング、暫間ヒーリングアバットメント、または最終アバットメントのような種々の歯科用要素の一例である。アバットメント１００及び他のかみ合い要素の図示された実施態様及び変更された実施態様に関する追加の詳細は、「歯科用インプラント」と題する２００７年４月２３日に出願された米国出願１１／７３９０３４号及び「歯科用インプラント及び歯科用要素連結」と題する２００７年４月２３日に出願された米国出願１１／７３９０２４号の本出願人の同時継続出願中に見出されることができ、その全体が参考としてここに組込まれる。アバットメント１００は歯科用グレードのチタンから作られることができるが、種々のタイプのセラミックスのような他の好適な材料もまた使用されることができる。
【００４３】
図２Ａ−２Ｅに見られるように、遠位端１０１及び近位部分１０３を持つアバットメント１００は、造形部分１０２、円錐形部分１０４、及びインターロック部分１０６を含むことができる。図２Ｃに示されるように、インターロック部分１０６は、歯科用インプラント２０のインターロック凹所７４内に嵌る寸法である略六角形形状を含む。アバットメント１００の特別な実施態様が略六角形のインターロック部分１０６を持って示されているが、他の好適な形状もまた使用されることができる。かかる好適な代替形状はインターロック凹所７４とかみ合いかつアバットメント１００の回転を妨げるように構成された他の形状を含むことができる。
【００４４】
続けて図２Ａ，２Ｂ及び２Ｄを参照すると、円錐形部分１０４は、円錐形室６８中に少なくとも部分的に挿入されるように構成されている。円錐形部分１０４の上に、アバットメント１００は造形部分１０２を含み、それは図示された実施態様ではアバットメント１００が最終アバットメントであるように造形されている。造形部分１０２は暫間アバットメント、ヒーリングアバットメント等のようないずれかの望ましい形状に造形されることができることは認識されるべきである。前述の本出願人の同時係属出願中に記載のように、アバットメント１００の円錐形部分１０４はインプラントの上部表面と先細りまたは封止嵌合で係合することができる。
【００４５】
一実施態様では、アバットメント１００は造形部分１０２と円錐形部分１０４の間に傾斜した移行表面１８０を持つ。移行表面１８０は、自然に発生する軟組織形態の上部表面と略同じ高さに配置されるように構成されている外縁１８２と、内縁１８３とを持つ。外縁１８２は円錐形部分１０４に隣接しているが、内縁１８３は造形部分１０２に隣接している。外縁１８２と内縁１８３の両者は、患者の軟組織形態の自然に発生する輪郭の形状に追従するまたは少なくとも密接に近似する少なくとも一つ、好ましくは二つの移行ピーク１８４、移行頬側谷１８６及び移行舌側谷１８７を規定する曲がったまたは波形形状を持つ。移行頬側谷１８６は、頬に面するように構成され、移行舌側谷１８７は舌に面するように構成されている。他の実施態様では、移行ピーク１８４及び移行谷１８６と１８７は患者の骨組織形態の自然に発生する輪郭の形状に追従するまたは少なくとも密接に近似するように構成された直線及び／または曲線の種々の組合せにより近似されることができることも認識されるべきである。
【００４６】
ある実施態様では、移行ピーク１８４はアバットメント１００の遠位端１０１の略２〜７ミリメートル上に位置する。他の実施態様では、移行ピーク１８４はアバットメント１００の遠位端１０１の略４〜５ミリメートルまたは約４．５ミリメートル上に位置する。ある実施態様では、移行頬側谷１８６はアバットメント１００の遠位端１０１の略２〜４ミリメートル上に位置する。他の実施態様では、移行頬側谷１８６はアバットメント１００の遠位端１０１の約３ミリメートル上に位置する。ある実施態様では、移行舌側谷１８７はアバットメント１００の遠位端１０１の約３〜５ミリメートル上に位置する。他の実施態様では、移行舌側谷１８７はアバットメント１００の遠位端１０１の約４ミリメートルまたは約３．８ミリメートル上に位置する。
【００４７】
図２Ａと２Ｂに示されるように、移行頬側谷１８６は移行舌側谷１８７より遠位にある。すなわち、移行頬側谷１８６の最下方点は移行舌側谷１８７の最下方点より遠位にある。他の実施態様では、移行舌側谷１８７は移行頬側谷１８６より遠位にあることができる。加えて、図２Ｂに示されるように、移行ピーク１８４と移行舌側谷１８７間の外縁１８２及び内縁１８３の湾曲と、移行ピーク１８４と移行頬側谷１８６の間の外縁１８２と内縁１８３の湾曲の両者は凸形状である。図２Ｂに示されるように、ある実施態様では、移行ピーク１８４は移行頬側谷１８６と移行舌側谷１８７の間のほぼ中間に設けられる。他の実施態様では、移行ピーク１８４は移行頬側谷１８６または移行舌側谷１８７のいずれかにより接近して設けられることができる。移行表面１８０の外縁１８２及び内縁１８３の形状は、非対称軟組織形態にマッチするために極めて好適な非対称アバットメント１００をもたらし、美的に満足なアバットメント１００をもたらす。図示されていないけれども、変更実施態様では、それぞれのピークとそれぞれの谷は異なる高さを持つことができることは認識されるべきである。すなわち、二つのピークは互いに比べたとき異なる高さを持つことができる。同様に、二つの谷は互いに比べたとき異なる高さを持つことができる。
【００４８】
図２Ｄで最も良く見られるように、内孔１１０はアバットメント１００の中心を通って延びることができる。内孔１１０は第一と第二領域１１２，１１４に分割されることができる。第一領域１１２は第二領域１１４の直径よりわずかに大きい直径を含むことができる。従って、第一と第二領域１１２，１１４の間に座部１１６が形成されることができる。この座部１１６は結合部材を支持することができる。結合部材の実施態様は、「歯科用インプラント」と題する２００７年４月２３日に出願された米国出願１１／７３９０３４号及び「歯科用インプラント及び歯科用要素連結」と題する２００７年４月２３日に出願された米国出願１１／７３９０２４号の本出願人の同時係属出願中に記載されており、その全体が参考としてここに組込まれる。第二領域１１４は、結合部材と接触するように構成される捕獲めねじ１１８を含むことができる。
【００４９】
図２Ｆは、アバットメント１００をインプラント２０に機械的に結合するために使用されることができる結合部材またはねじ２００の一実施態様を示す。結合部材２００はまた、歯科用グレードのチタン合金から作られることができるが、他の好適な材料も使用されることができる。結合部材２００はアバットメント１００の内孔１１０を通してインプラント２０の空洞６６中に延びる寸法と形状を持つことができる。結合部材２００は、アバットメント１００の捕獲めねじ１１８と係合しかつインプラント２０のねじ付き室７０と係合するおねじ付き下方領域２０２を含むことができる。結合部材２００のねじ山２０４は捕獲ねじ山１１８と係合することができ、従って、結合ねじ２００は、アバットメント１００が患者の口中に移されかつ持ち上げられるときに分離されることにならない。
【００５０】
結合部材またはねじ２００はまた、Ｎｏｂｅｌ  Ｂｉｏｃａｒｅ（商標）により提供されるＵｎｉｇｒｉｐ（登録商標）回転ツールを受けるように構成された形状の凹所２０６を含む。他の実施態様では、凹所２０６は、例えば結合ねじ２００をインプラント２０に設置またはそれから除去するために通常のＡｌｌｅｎ（登録商標）レンチのような六角形形状のツールの挿入を可能にするように構成された六角形のような異なる形状を持つことができる。
【００５１】
結合ねじ２００によりアバットメント１００を歯科用インプラント２０に結合するために、アバットメント１００のインターロック部分１０６は、歯科用インプラント２０のインターロック凹所７４と整合され、その中に挿入される。さらに、アバットメント１００の円錐形部分１０４は歯科用インプラント２０の円錐形室６８中に挿入される。アバットメント１００は、インターロック部分１０６の下方端１０８がインターロック凹所７４の下方端７５と接触状態にあるように歯科用インプラント２０の空洞６６中に挿入されることができる。図３Ａと３Ｂに示されるように、アバットメント１００がインプラント２０に結合されるとき、インプラント２０の上部表面２１は露出されたままであることができる。一実施態様では、露出された上部表面２１は少なくとも約０．２ｍｍの厚さを有し、一実施態様では約０．２５ｍｍの厚さを持つ。有利には、上部表面２１は「水平な」組織付着表面を形成することができ、それは上述のように骨付着表面４１を備えることができる。この配置は骨組織上の均一な組織成長を促進する。
【００５２】
結合ねじ２００の遠位ねじ山領域２０２は、歯科用インプラント２０のねじ付き室７０と係合されることができ、結合ねじ２００の座部２１０はアバットメント１００の座部１１６に接触している。この結合ねじ２００とアバットメント１００及び歯科用インプラント２０との係合は、それによりアバットメント１００を歯科用インプラント２０に固定することができる。図３Ａと３Ｂに示されるように、歯科用インプラント２０のピーク８４及び谷８６，８７はアバットメント１００の移行ピーク１８４及び移行谷１８６，１８７と整合している。
【００５３】
図４Ａと４Ｂは、上述の歯科用インプラント２０と同様の歯科用インプラント２０の一実施態様を示す。インプラント２０は、ねじ山部分３４とカラー３６を含むインプラント本体３２を含む。ねじ山部分３４は先細りであることができ、ねじ山部分３４の外表面４０上に設けられた少なくとも一つのねじ山３８を含むことができる。ねじ山３８は面５８により連結されている遠位フランク５４と近位フランク５６を含む。ねじ山の基部はねじ谷底５９を含む。以下に説明されるように、図示された実施態様はインプラント周りに螺旋状に延びるねじ山３８を含むけれども、変更実施態様はより多くのねじ山（例えば二条または三条ねじ）を含むことができる。加えて、以下に説明されるように、本体３２は略円錐形または先細りであるとして示されている。歯科用インプラント２０は、近位端２２、近位端２２に略隣接した近位部分２６、遠位端２４、及び遠位端２４に略隣接した遠位部分２８、及び近位部分２６と遠位部分２８の間の中央部分２７を含むことができる。
【００５４】
ねじ山部分３４はまた、ねじ山３８上に設けられている溝５０を含む。溝５０は、例えばオッセオインテグレーションのための追加の表面を提供するために歯科用インプラント２０上に設けられる。溝５０は、ねじ山面５８、ねじ谷底５９、遠位フランク５４または近位フランク５６上に設けられることができる。ある実施態様では、溝５０はねじ山３８間に設けられる。一般的に、溝５０は略螺旋パターンで延びる。図示された実施態様では、各溝５０は実質的に連続している。しかし、変更実施態様では、少なくともいくつかの溝５０は非連続的であるように形成されることができる。例えば、溝５０は一連の短い溝、くぼみ、または刻み目から形成されることができ、それらは一緒に略螺旋パターンを形成する。しかし、骨組織は連続径路に沿ってむしろ成長することが観察されているので、連続溝が成長時の骨付着を有利に促進することができる。
【００５５】
上述の実施態様は、歯槽骨内に埋入されたとき歯科用インプラントの改善された安定性を提供する。さらに、本発明のある実施態様は空間の効率的な利用を提供する。例えば、上述のように、ある実施態様では、溝５０は、内部連結界面６６を含む本体３２の部分のねじ山３８の面５８上に設けられる。従って、この場所のインプラント２０の本体の強さは影響を受けないままである。もし溝５０がこの部分の本体３２上に設けられたなら、本体強度を維持するために特定の寸法に維持された最小壁厚を持つ内部連結界面６６のために利用可能な空間がより少なくなるだろう。従って、内部連結界面６６の部分の面５８に位置した溝５０を持つことは、連結界面６６のために利用できる空間を改善し、さらにインプラント２０の改善された安定性を提供する。ある実施態様では、壁厚は、もし溝５０がインターロック凹所７４の部分でのみ面５８に設けられるが、少なくとも部分的にねじ付き室７０の場所でないなら、十分であるであろう。
【００５６】
内部連結界面６６を含まない本体３２の部分では、溝５０は本体３２上に設けられることができる。これは、図示された実施態様のインプラント２０がこの部分に内部連結界面６６を含まないので、インプラント２０の強度を実質的に低下させないであろう。これは、可変ねじ山厚のようなこの場所でのねじ山３８のより薄い面を持つ選択を提供し、それはインプラント２０のさらに改善された安定性を提供することができる。従って、溝５０の場所はそれら自身の安定性並びにそれらの特別な位置を提供する。加えて、強度を弱めることなく利用できる空間の効率的利用が提供される。溝５０の場所は内部連結界面６６または外部連結界面のいずれかを持つインプラント上で使用されることができるので、この場所はまた、柔軟性を提供する。
【００５７】
ある実施態様では、歯科用インプラント２０のねじ山部分３４は、歯科用インプラント２０の遠位部分２８上に配置された二つの溝（ｆｌｕｔｅｓ）を含むことができる。溝は、歯科用インプラント２０を挿入するのを助けるように構成されることができる。溝は略螺旋形状を含むことができる。さらに、溝は歯科用インプラント２０の遠位端２４からその略中央部分に向けて延びることができる。溝はインプラント本体３２のねじ山部分３４に沿って略対向位置に設けられることができる。溝は、歯科用インプラント２０が反時計方向に回転されるとき、骨を切断しまたは除去するように構成されている。さらに、溝は、骨を切断または除去することなく歯科用インプラント２０を時計方向に回転させることを可能にするように構成されている。しかし、骨除去は、インプラントを反時計方向に回転することにより達成されることができる。
【００５８】
歯科用インプラント２０は、歯科用インプラント２０が反時計方向に回転されるときに切断するように構成される溝を持って説明されたが、他の好適な溝または溝配向もまた、使用されることができる。かかる好適な溝または溝配向は、歯科用インプラント２０が時計方向に回転されるときに切断したりまたはタッピング機能を提供するように構成される溝を含むことができる。
【００５９】
図５Ａと５Ｂは、図４Ａと４Ｂに示された歯科用インプラント２０の実施態様とかみ合うように構成されたアバットメント１００の一実施態様を示す。アバットメント１００のこの実施態様は上述の実施態様と同様である。この実施態様では、インターロック部分１０６の異なる改変例が示されている。この実施態様では、インターロック部分は六角形である。
【００６０】
埋入後に露出されるインプラント２０及びアバットメント１００の部分は、歯苔及び歯石の蓄積を減らすために研磨されることができる。変更実施態様では、軟組織に近い露出された部分のある部分は、軟組織付着を促進し、強化しまたは維持するために処理されることができる。かかる処理は、成長因子を付与すること、たん白質を付与すること、粗面化すること及び／または表面積を増やす被膜の付与を含むことができる。他の実施態様では、例えば酸処理、酸化チタン表面等のような存在する表面を取り去ることにより表面積を増やす処理もまた、使用されることができる。加えて、軟組織表面は、表面の色を変える被膜により修正されまたは覆われることができる。例えば、一実施態様では、表面はヒドロキシアパタイト（ＨＡ）材料または一般的に白いまたは「歯の様な」色の他のセラミック被膜により被覆される。
【００６１】
この発明は特定の好適な実施態様及び実施例で開示されたが、本発明は具体的に開示された実施態様を越えて他の代替実施態様及び／または本発明の使用及び明らかな変更及びそれらの均等物まで拡大されることは当業者により理解されるであろう。加えて、本発明のある数の変更例が示されかつ詳細に述べられたが、この発明の範囲内の他の変更例がこの開示に基づいて当業者には容易に明らかとなるであろう。また、実施態様の特定の特徴及び態様の種々の組合せまたは副組合せがなされることができかつ本発明の範囲内になお入ることができることは予想される。従って、開示された実施態様の種々の特徴及び態様が開示された発明の変化モードを実施するために互いに組合され、または置換されることができることは理解されるべきである。従って、ここに開示された本発明の範囲は、上述の特に開示された実施態様により限定されるべきでなく、請求項の正しい解釈によってのみ決定されるべきであることが意図されている。
【図１Ａ】
0005647970.tif 000002
【図１Ｂ】
0005647970.tif 000003
【図１Ｃ】
0005647970.tif 000004
【図１Ｄ】
0005647970.tif 000005
【図２Ａ】
0005647970.tif 000006
【図２Ｂ】
0005647970.tif 000007
【図２Ｃ】
0005647970.tif 000008
【図２Ｄ】
0005647970.tif 000009
【図２Ｅ】
0005647970.tif 000010
【図２Ｆ】
0005647970.tif 000011
【図３Ａ】
0005647970.tif 000012
【図３Ｂ】
0005647970.tif 000013
【図４Ａ】
0005647970.tif 000014
【図４Ｂ】
0005647970.tif 000015
【図５Ａ】
0005647970.tif 000016
【図５Ｂ】
0005647970.tif 000017